(57)【要約】【課題】被災者各々の状態を考慮した救助活動の支援を行うこと。【解決手段】安否情報サーバ３０において、通信部３０１は、端末１０から、端末１０に関する自端末安否情報及び端末１０の周辺端末に関する周辺端末安否情報を受信し、制御部３０２は、自端末安否情報及び周辺端末安否情報を安否情報記憶部３０６に記憶させ、安否レベル決定部３０３は、自端末安否情報及び周辺端末安否情報に基づいて、各端末の利用者の安否の状態を示す安否レベルを各端末毎に決定する。【選択図】図３
2014021550.tif 000002
【特許請求の範囲】
【請求項１】
第１の通信端末から、前記第１の通信端末に関する第１の安否情報及び第２の通信端末に関する第２の安否情報を受信する通信部と、
前記第１の安否情報及び前記第２の安否情報に基づいて、前記第１の通信端末及び前記第２の通信端末の各々の利用者の安否の状態を示す安否レベルを決定する決定部と、
を具備するサーバ。
【請求項２】
前記第１の安否情報及び前記第２の安否情報は、前記第１の通信端末及び前記第２の通信端末の各々に固有の識別子、前記第１の安否情報及び前記第２の安否情報の各々の更新日時、及び、前記第１の通信端末及び前記第２の通信端末の各々の位置情報を含み、
前記決定部は、前記更新日時及び前記位置情報に基づいて、前記安否レベルを決定する、
請求項１に記載のサーバ。
【請求項３】
前記第１の安否情報及び前記第２の安否情報は、さらに、前記第１の通信端末及び前記第２の通信端末の各々の電池残量を含み、
前記決定部は、前記安否レベル及び前記電池残量に基づいて、前記第１の通信端末及び前記第２の通信端末の各々の利用者の救助優先順位を決定する、
請求項２に記載のサーバ。
【請求項４】
前記位置情報によって特定される地図上の位置に、前記固有の識別子と前記安否レベルとを対応付けて表示する表示部、をさらに具備する、
請求項２または３に記載のサーバ。
【請求項５】
前記固有の識別子毎に、時間の経過に伴って変化する複数の前記位置情報によって特定される地図上の複数の位置に前記安否レベルを連ねて表示する表示部、をさらに具備する、
請求項２または３に記載のサーバ。
【請求項６】
他の通信端末から前記他の通信端末に関する第１の安否情報を受信する第１の通信部と、
自端末に関する第２の安否情報を最新のものから時系列に複数個記憶する一方で、前記他の通信端末毎に最新の１つの前記第１の安否情報を記憶する記憶部と、
記憶された安否情報を基地局へ送信する第２の通信部と、
を具備する通信端末。
【請求項７】
前記第２の安否情報を所定の時間間隔で更新する更新部、をさらに具備する、
請求項６に記載の通信端末。
【請求項８】
第１の通信端末から、前記第１の通信端末に関する第１の安否情報及び第２の通信端末に関する第２の安否情報を受信し、
前記第１の安否情報及び前記第２の安否情報に基づいて、前記第１の通信端末及び前記第２の通信端末の各々の利用者の安否の状態を示す安否レベルを決定する、
安否情報処理方法。
【請求項９】
通信端末に関する安否情報に基づいて、前記通信端末の利用者の安否の状態を示す安否レベルを決定し、
決定した前記安否レベルを前記安否情報に付与する、
処理をプロセッサに実行させる安否情報処理プログラム。
【発明の詳細な説明】
【技術分野】
【０００１】
本発明は、サーバ、通信端末、安否情報処理方法及び安否情報処理プログラムに関する。
【背景技術】
【０００２】
近年、携帯電話等の通信端末（以下では「端末」と省略して呼ばれることがある）が普及したため、地震等の災害発生時において、端末の利用者の安否の確認をとりやすくなっている。
【０００３】
しかし、地震等の災害発生時には、基地局の倒壊及び故障等により被災地域が通信エリア外となって、被災地域内では、端末は基地局を介した通信を行えない事態が想定される。
【０００４】
このような想定される事態に対し、通信エリア外にある複数の端末同士が近距離通信を行って各端末の情報を共有し、いずれかの端末が通信エリア内に入ったときにその端末が自端末及び他の端末の情報をまとめて基地局へ送信する従来技術がある。
【先行技術文献】
【特許文献】
【０００５】
【特許文献１】特開２００９−１２４４４８号公報
【発明の概要】
【発明が解決しようとする課題】
【０００６】
しかしながら、上記従来技術では、自端末及び他の端末の情報をどのようにして用いて被災者各々の状態を把握するかに関しては提案されていない。よって、上記従来技術では、被災者各々の状態を考慮した救助活動を行うことができない。
【０００７】
開示の技術は、上記に鑑みてなされたものであって、被災者各々の状態を考慮した救助活動の支援が可能なサーバ、通信端末、安否情報処理方法及び安否情報処理プログラムを提供することを目的とする。
【課題を解決するための手段】
【０００８】
開示の態様のサーバは、第１の通信端末から、前記第１の通信端末に関する第１の安否情報及び第２の通信端末に関する第２の安否情報を受信する通信部と、前記第１の安否情報及び前記第２の安否情報に基づいて、前記第１の通信端末及び前記第２の通信端末の各々の安否の状態を示す安否レベルを決定する決定部と、を具備する。
【０００９】
開示の態様の通信端末は、他の通信端末から前記他の通信端末に関する第１の安否情報を受信する第１の通信部と、自端末に関する第２の安否情報を最新のものから時系列に複数個記憶する一方で、前記他の通信端末毎に最新の１つの前記第１の安否情報を記憶する記憶部と、記憶された安否情報を基地局へ送信する第２の通信部と、を具備する。
【発明の効果】
【００１０】
開示の態様によれば、被災者各々の状態を考慮した救助活動の支援を行うことができる。
【図面の簡単な説明】
【００１１】
【図１】図１は、一実施例の通信システムの一例を示す図である。
【図２】図２は、一実施例の端末の一例を示す機能ブロック図である。
【図３】図３は、一実施例の安否情報サーバの一例を示す機能ブロック図である。
【図４】図４は、一実施例の端末の動作の説明に供するフローチャートである。
【図５】図５は、一実施例の災害モード画面の一例を示す図である。
【図６】図６は、一実施例の安否レベルの一例を示す図である。
【図７】図７は、一実施例の端末の処理の説明に供する図である。
【図８】図８は、一実施例の通信システムの動作の説明に供するシーケンス図である。
【図９】図９は、一実施例の安否情報サーバの処理の説明に供する図である。
【図１０】図１０は、一実施例の安否情報サーバの画面表示の一例を示す図である。
【図１１】図１１は、一実施例の安否情報サーバの画面表示の一例を示す図である。
【図１２】図１２は、端末のハードウェア構成例を示す図である。
【図１３】図１３は、安否情報サーバのハードウェア構成例を示す図である。
【発明を実施するための形態】
【００１２】
以下に、本願の開示するサーバ、通信端末、安否情報処理方法及び安否情報処理プログラムの実施例を図面に基づいて詳細に説明する。なお、この実施例により本願の開示するサーバ、通信端末、安否情報処理方法及び安否情報処理プログラムが限定されるものではない。また、実施例において同一の機能を有する構成には同一の符号を付し、重複する説明は省略される。
【００１３】
［実施例］
＜通信システムの概要＞
図１は、一実施例の通信システムの一例を示す図である。図１において、通信システム１は、端末１０−１〜１０−５と、基地局２０−１，２０−２と、安否情報サーバ３０と、通信網４０とを有する。また、基地局２０−１は通信エリア２５−１を形成し、基地局２０−２は通信エリア２５−２を形成する。
【００１４】
端末１０−１は、基地局の通信エリア外に位置するときに、近距離通信によって自端末と通信可能な周辺の他の端末（以下では「周辺端末」と呼ばれることがある）を探索する。同様に、端末１０−２は、基地局の通信エリア外に位置するときに、周辺端末を探索する。図１では、端末１０−１が端末１０−３，１０−４と近距離通信が可能であり、端末１０−２が端末１０−４，１０−５と近距離通信が可能である場合を示す。
【００１５】
端末１０−１は、自端末に関する安否情報（以下では「自端末安否情報」と呼ばれることがある）を端末１０−３，１０−４に送信するとともに、端末１０−３，１０−４から、端末１０−３，１０−４の各周辺端末に関する安否情報（以下では「周辺端末安否情報」と呼ばれることがある）を受信する。同様に、端末１０−２は、自端末に関する安否情報を端末１０−４，１０−５に送信するとともに、端末１０−４，１０−５から、端末１０−４，１０−５の各端末に関する安否情報を受信する。よって、端末１０−４に関する安否情報は端末１０−１，１０−２の双方に記憶される。
【００１６】
そして、端末１０−１は、移動して通信エリア２５−１内に入ったときに、基地局２０−１へ、自端末に関する安否情報、端末１０−３に関する安否情報、及び、端末１０−４に関する安否情報を送信する。これらの安否情報は、基地局２０−１を介し通信網４０を通って安否情報サーバ３０に受信される。
【００１７】
一方、端末１０−２は、移動して通信エリア２５−２内に入ったときに、基地局２０−２へ、自端末に関する安否情報、端末１０−４に関する安否情報、及び、端末１０−５に関する安否情報を送信する。これらの安否情報は、基地局２０−２を介し通信網４０を通って安否情報サーバ３０に受信される。  
【００１８】
安否情報サーバ３０は、受信した各安否情報に基づいて、端末１０−１〜１０−５の各々の利用者の安否の状態を示す安否レベルを決定する。
【００１９】
＜端末の構成＞
図２は、一実施例の端末の一例を示す機能ブロック図である。図２において、端末１０は、アンテナ１０１と、周辺端末通信部１０２と、基地局通信部１０３と、緊急信号受信部１０４と、モード設定部１０５と、制御部１０６と、表示部１０７と、操作部１０８と、情報更新部１０９と、位置情報取得部１１０と、電池残量取得部１１１と、記憶部１１２とを有する。また、記憶部１１２は、自端末情報記憶部１１３と、周辺端末情報記憶部１１４とを有する。
【００２０】
周辺端末通信部１０２は、近距離通信によって周辺端末と通信する。近距離通信は、Bluetooth（登録商標）または赤外線通信等の通信方式により実現される。周辺端末通信部１０２は、周辺端末からアンテナ１０１を介して受信するビーコン信号を制御部１０６に出力する。また、周辺端末通信部１０２は、制御部１０６から入力される自端末安否情報をアンテナ１０１を介して周辺端末へ送信する。また、周辺端末通信部１０２は、周辺端末からアンテナ１０１を介して受信する周辺端末安否情報を制御部１０６に出力する。端末１０と近距離通信が可能な他の端末、すなわち、周辺端末は、制御部１０６によってビーコン信号を用いて探索され、探索結果が周辺端末通信部１０２に入力される。周辺端末通信部１０２は、その探索結果に従って、周辺端末と近距離通信を行う。
【００２１】
基地局通信部１０３は、基地局と通信する。基地局との通信は、3GPPまたはLTE等の移動体通信方式により実現される。基地局通信部１０３は、基地局からアンテナ１０１を介して受信するBCH（Broadcast  Channel）信号及びパイロットチャネル信号を制御部１０６に出力する。また、基地局通信部１０３は、制御部１０６から入力される自端末安否情報及び周辺端末安否情報をアンテナ１０１を介して基地局へ送信する。端末１０と移動体通信が可能な基地局（以下では「周辺基地局」と呼ばれることがある）は、制御部１０６によってBCH信号及びパイロットチャネル信号を用いて探索され、探索結果が基地局通信部１０３に入力される。基地局通信部１０３は、その探索結果に従って、周辺基地局と移動体通信を行う。
【００２２】
緊急信号受信部１０４は、例えば緊急地震速報等、災害時に一斉送信される緊急信号をアンテナ１０１を介して受信し、受信した緊急信号をモード設定部１０５に出力する。緊急信号の一斉送信は、FM波等を用いた通信方式により行われる。
【００２３】
モード設定部１０５は、端末１０の動作モードを設定し、設定した動作モードを制御部１０６に通知する。動作モードは、「災害モード」または「通常モード」のいずれかをとる。「災害モード」は災害発生時に使用されるモードであり、「通常モード」は平時に使用されるモードである。モード設定部１０５は、緊急信号受信部１０４から緊急信号を入力されると、動作モードを通常モードから災害モードへ切り替える。なお、以下では、端末１０が災害モードにある場合について説明し、端末１０が通常モードにある場合についての説明は省略する。
【００２４】
位置情報取得部１１０は、端末１０の現在位置を示す位置情報を取得し、取得した位置情報を制御部１０６に出力する。端末１０の現在位置は緯度と経度とによって特定されるため、位置情報は、緯度情報と経度情報とを有する。位置情報は、端末１０が有するＧＰＳ（Global  Positioning  System）機能によって取得可能である。
【００２５】
電池残量取得部１１１は、端末１０の電池の残量を取得し、取得した電池残量を示す値を制御部１０６に出力する。
【００２６】
制御部１０６は、動作モードが通常モードから災害モードへ切り替えられときに、表示部１０７に所定の災害モード画面を表示させる。この画面表示については後述する。また、制御部１０６は、周辺端末通信部１０２から入力される周辺端末安否情報を情報更新部１０９に出力する。また、制御部１０６は、位置情報取得部１１０から入力される位置情報及び電池残量所得部１１１から入力される電池残量を、自端末の電話番号と共に、情報更新部１０９に出力する。また、制御部１０６は、自端末情報記憶部１１３から取得した自端末安否情報を周辺端末通信部１０２に出力する。また、制御部１０６は、自端末情報記憶部１１３から取得した自端末安否情報、及び、周辺端末情報記憶部１１４から取得した周辺端末安否情報を、基地局通信部１０３に出力する。
【００２７】
情報更新部１０９は、制御部１０６から入力される位置情報、電池残量及び自端末の電話番号を、自端末安否情報として、自端末情報記憶部１１３に記憶する。情報更新部１０９は、自端末情報記憶部１１３に記憶されている自端末安否情報を所定の時間間隔で更新する。また、情報更新部１０９は、制御部１０６から入力される周辺端末安否情報を周辺端末情報記憶部１１４に記憶する。周辺端末情報記憶部１１４に記憶されている周辺端末安否情報の更新は、制御部１０６から情報更新部１０９に周辺端末安否情報が入力される度、すなわち、周辺端末通信部１０２により周辺端末安否情報が受信される度に行われる。
【００２８】
表示部１０７は、制御部１０６の表示制御の下で、各種画面を表示する。
【００２９】
操作部１０８は、端末１０の利用者からの各種指示を受け付け、受け付けた指示を制御部１０６に通知する。
【００３０】
＜安否情報サーバの構成＞
図３は、一実施例の安否情報サーバの一例を示す機能ブロック図である。図３において、安否情報サーバ３０は、通信部３０１と、制御部３０２と、安否レベル決定部３０３と、表示部３０４と、操作部３０５と、安否情報記憶部３０６とを有する。
【００３１】
通信部３０１は、基地局を介して端末１０から受信する自端末安否情報及び周辺端末安否情報を制御部３０２に出力する。また、通信部３０１は、端末１０の緊急信号受信部１０４が受信する緊急信号と同一内容の緊急信号を受信し、受信した緊急信号を制御部３０２に出力する。
【００３２】
制御部３０２は、通信部３０１から入力される自端末安否情報及び周辺端末安否情報を安否情報記憶部３０６に記憶する。安否情報記憶部３０６に記憶されている安否情報の更新は、通信部３０１から制御部３０２に自端末安否情報及び周辺端末安否情報が入力される度、すなわち、通信部３０１により自端末安否情報及び周辺端末安否情報が受信される度に行われる。また、制御部３０２は、自端末安否情報及び周辺端末安否情報を安否情報記憶部３０６に記憶する度、すなわち、安否情報の更新の度に、安否情報が更新されたことを安否レベル決定部３０３に通知する。また、制御部３０２は、通信部３０１から入力される緊急信号を安否レベル決定部３０３に出力する。
【００３３】
安否レベル決定部３０３は、安否情報が更新される度に、安否情報記憶部３０６を参照し、各端末の利用者の安否レベルを決定する。安否レベルの決定については後述する。
【００３４】
表示部３０４は、制御部３０２の制御の下で、各種画面を表示する。この画面表示については後述する。
【００３５】
操作部３０５は、安否情報サーバ３０の利用者からの各種指示を受け付け、受け付けた指示を制御部３０２に通知する。
【００３６】
＜端末の動作＞
図４は、一実施例の端末の動作の説明に供するフローチャートである。
【００３７】
緊急信号受信部１０４は、端末１０が通常モードで動作している間、バックグラウンドで緊急信号の受信を待つ（ステップＳ４０１：Ｎｏ）。緊急信号受信部１０４により緊急信号が受信されると（ステップＳ４０１：Ｙｅｓ）、モード設定部１０５は、端末１０の動作モードを通常モードから災害モードへ切り替える（ステップＳ４０２）。すなわち、ステップＳ４０３〜Ｓ４１２の一連の処理は、災害モードでの端末１０の動作である。
【００３８】
動作モードが通常モードから災害モードへ切り替えられると、制御部１０６は、表示部１０７に所定の災害モード画面を表示させる（ステップＳ４０３）。
【００３９】
ここで、図５は、一実施例の災害モード画面の一例を示す図である。なお図５では、表示部１０７と操作部１０８とが積層構造をとる。図５に示す災害モード画面は、項目６１〜６５を含む。すなわち、表示部１０７は、災害モードであることを端末１０の利用者に知らせるとともに、端末１０の利用者に安否状態の入力を促すメッセージを項目６１として表示する。また、表示部１０７は、安否状態の入力の選択肢として、項目６２〜６４を表示する。端末１０の利用者は、項目６２〜６４のいずれかをタッチすることにより安否状態を選択することができる。また、表示部１０７は、項目６２〜６４のいずれもタッチされない場合に「自動安否確認モード」へ移行する旨のメッセージを項目６５として表示する。「自動安否確認モード」とは、ステップＳ４０６〜Ｓ４１１の処理が繰り返し行われることにより、情報更新部１０９が、自端末情報記憶部１１３に記憶されている自端末安否情報を所定の時間間隔で更新するモードである。
【００４０】
災害モードに切り替わってから所定時間内に項目６２〜６４のいずれかがタッチされることにより操作部１０８への入力があった場合は（ステップＳ４０４：Ｙｅｓ）、制御部１０６は、位置情報、電池残量及び自端末の電話番号を、選択された安否状態に対応する安否レベルと共に、情報更新部１０９に出力する。情報更新部１０９は、制御部１０６から入力される位置情報、電池残量、自端末の電話番号及び安否レベルを、自端末安否情報として、自端末情報記憶部１１３に記憶する（ステップＳ４０５）。
【００４１】
ステップＳ４１１では、制御部１０６が、端末１０と移動体通信が可能な基地局、すなわち、周辺基地局を探索し、周辺基地局が存在するか否か判定する。周辺基地局が存在する場合は（ステップＳ４１１：Ｙｅｓ）、制御部１０６が、ステップＳ４０５で記憶された自端末安否情報を自端末情報記憶部１１３から取得して基地局通信部１０３に出力する。よって、周辺基地局が存在する場合は（ステップＳ４１１：Ｙｅｓ）、基地局通信部１０３は、項目６２〜６４のいずれかの入力後、直ちに自端末安否情報を周辺基地局へ送信する（ステップＳ４１２）。一方、周辺基地局が存在しない場合は（ステップＳ４１１：Ｎｏ）、ステップＳ４０６へ戻る。
【００４２】
ここで、図６は、一実施例の安否レベルの一例を示す図である。図６に示すように、図５の項目６２〜６４のそれぞれは、安否レベル２〜４のそれぞれに対応する。すなわち、項目６２がタッチされると自端末安否情報の安否レベルは「２」になる。また、項目６３がタッチされると自端末安否情報の安否レベルは「３」になる。また、項目６４がタッチされると自端末安否情報の安否レベルは「４」になる。安否レベルは、その値が大きいほど、端末１０の利用者がより危険な状態にあることを示す。なお、図６における経過時間と安否レベルとの対応関係については後述する。
【００４３】
災害モードに切り替わってから所定時間内に項目６２〜６４のいずれもタッチされない場合は（ステップＳ４０４：Ｎｏ）、情報更新部１０９は、自端末情報記憶部１１３に記憶されている自端末安否情報を更新する（ステップＳ４０６）。
【００４４】
ステップＳ４０７では、制御部１０６が周辺端末を探索し、周辺端末が存在するか否か判定する。周辺端末が存在する場合は（ステップＳ４０７：Ｙｅｓ）、周辺端末通信部１０２は、自端末安否情報を周辺端末へ送信し（ステップＳ４０８）、周辺端末安否情報を周辺端末から受信する（ステップＳ４０９）。また、周辺端末が存在する場合は（ステップＳ４０７：Ｙｅｓ）、情報更新部１０９は、ステップＳ４０９で受信された周辺端末安否情報により、周辺端末情報記憶部１１４に記憶されている周辺端末安否情報を更新する（ステップＳ４１０）。一方、周辺端末が存在しない場合は（ステップＳ４０７：Ｎｏ）、ステップＳ４０６へ戻る。
【００４５】
ステップＳ４１１では、制御部１０６が、端末１０と移動体通信が可能な基地局、すなわち、周辺基地局を探索し、周辺基地局が存在するか否か判定する。周辺基地局が存在する場合は（ステップＳ４１１：Ｙｅｓ）、基地局通信部１０３は、制御部１０６から入力される自端末安否情報及び周辺端末安否情報を周辺基地局へ送信する（ステップＳ４１２）。一方、周辺基地局が存在しない場合は（ステップＳ４１１：Ｎｏ）、ステップＳ４０６へ戻る。
【００４６】
＜端末の処理＞
図７は、一実施例の端末の処理の説明に供する図である。図７には、自端末情報記憶部１１３が自端末安否情報を最新のものから時系列に５個まで記憶する一方で、周辺端末情報記憶部１１４に記憶可能な周辺端末安否情報を５個までに制限する場合を示す。また、周辺端末情報記憶部１１４は、複数の周辺端末が存在する場合、図７に示すように、各周辺端末毎に最新の１つの周辺端末安否情報を記憶する。すなわち、周辺端末情報記憶部１１４は、周辺端末通信部１０２がいずれか１つの周辺端末から時系列に複数個の周辺端末安否情報を受信した場合でも、１つの周辺端末に関しては最新の１つの周辺端末安否情報しか記憶しない。
【００４７】
また、情報更新部１０９は、図７に示すように、各安否情報に、各安否情報の更新日時、及び、更新日時に応じた優先順位を付加する。優先順位は、最新の日時のものから順につけられる。
【００４８】
なお、記憶部１１２に記憶されている時点で「安否レベル」が付随している安否情報は、上記ステップＳ４０４において入力された安否情報である。すなわち、図７には、電話番号「08066668888」の周辺端末において安否レベル「３」に対応する項目６３が選択された場合を示す。また、電話番号「08066993388」の周辺端末において安否レベル「２」に対応する項目６２が選択された場合を示す。一方で、図７では、電話番号「09011113333」の自端末、電話番号「08022224444」，「08043345115」，「09077779999」の各周辺端末については、災害モードに切り替わってから所定時間内に項目６２〜６４のいずれもタッチされなかったため、「安否レベル」が付随していない。
【００４９】
図７に示すようにして記憶部１１２に記憶された自端末安否情報及び周辺端末安否情報は、基地局通信部１０３によって周辺基地局へ送信される。
【００５０】
＜通信システムの動作＞
図８は、一実施例の通信システムの動作の説明に供するシーケンス図である。
【００５１】
図８において、周辺端末ａ〜ｃはそれぞれ図１の端末１０−３〜１０−５に対応し、端末Ａ，Ｂはそれぞれ図１の端末１０−１，１０−２に対応する。基地局Ａ，Ｂはそれぞれ、図１の基地局２０−１，２０−２に対応する。
【００５２】
また、図８において、情報Ａ−１，Ａ−２は端末Ａの自端末安否情報であり、情報Ｂ−１，Ｂ−２は端末Ｂの自端末安否情報である。また、情報ａは、端末Ａが周辺端末ａから受信する周辺端末安否情報であり、情報ｂ−１は、端末Ａが周辺端末ｂから受信する周辺端末安否情報である。また、情報ｂ−２は、端末Ｂが周辺端末ｂから受信する周辺端末安否情報であり、情報ｃは、端末Ｂが周辺端末ｃから受信する周辺端末安否情報である。
【００５３】
端末Ａは、周辺端末ａに情報Ａ−１を送信するとともに、周辺端末ａから情報ａを受信する（ステップＳ８０１，Ｓ８０２）。また、端末Ａは、周辺端末ｂに情報Ａ−２を送信するとともに、周辺端末ｂから情報ｂ−１を受信する（ステップＳ８０３，Ｓ８０４）。よって、端末Ａの自端末情報記憶部１１３には情報Ａ−１，Ａ−２が記憶され、端末Ａの周辺端末情報記憶部１１４には情報ａ，ｂ−１が記憶される。
【００５４】
一方、端末Ｂは、周辺端末ｂに情報Ｂ−１を送信するとともに、周辺端末ｂから情報ｂ−２を受信する（ステップＳ８０５，Ｓ８０６）。また、端末Ｂは、周辺端末ｃに情報Ｂ−２を送信するとともに、周辺端末ｃから情報ｃを受信する（ステップＳ８０７，Ｓ８０８）。よって、端末Ｂの自端末情報記憶部１１３には情報Ｂ−１，Ｂ−２が記憶され、端末Ｂの周辺端末情報記憶部１１４には情報ｂ−２，ｃが記憶される。
【００５５】
端末Ａは、移動して基地局Ａの通信エリア内に入ったときに、基地局Ａへ、情報Ａ−１，Ａ−２、情報ａ及び情報ｂ−１を送信する（ステップＳ８０９）。これらの情報は、基地局Ａを介して安否情報サーバ３０に受信される（ステップＳ８１０）。
【００５６】
また、端末Ｂは、移動して基地局Ｂの通信エリア内に入ったときに、基地局Ｂへ、情報Ｂ−１，Ｂ−２、情報ｂ−２及び情報ｃを送信する（ステップＳ８１１）。これらの情報は、基地局Ｂを介して安否情報サーバ３０に受信される（ステップＳ８１２）。
【００５７】
よって、安否情報サーバ３０の安否情報記憶部３０６には、情報Ａ−１，Ａ−２、情報Ｂ−１，Ｂ−２、情報ａ、情報ｂ−１，ｂ−２、及び、情報ｃが記憶される。つまり、周辺端末ｂの周辺端末安否情報については、異なる２つの端末Ａ，Ｂからそれぞれ送信された情報ｂ−１，ｂ−２が安否情報サーバ３０に記憶される。このように、安否情報サーバ３０は、同一の端末の安否情報を互いに異なる複数の端末から収集することができる。安否情報サーバ３０の安否レベル決定部３０３は、このようにして収集された安否情報に基づいて、各端末の利用者の安否レベルを決定する。
【００５８】
＜安否情報サーバの処理＞
図９は、一実施例の安否情報サーバの処理の説明に供する図である。上記図８に示すような動作の結果、安否情報記憶部３０６には、例えば図９に示すような安否情報が記憶される。
【００５９】
但し、安否レベル決定部３０３による安否レベルの決定前は、電話番号「09011113333」，「08022224444」，「08043345115」，「09077779999」，「08022334455」，「09091916666」，「09012125555」の各端末の安否レベルは空欄である。また、安否レベル決定部３０３による安否レベルの決定前は、すべての端末の「救助優先順位」も空欄である。
【００６０】
一方で、安否レベル決定部３０３による安否レベルの決定前でも、電話番号「08066668888」，「08066993388」の各端末の安否レベル「３」，「２」はすでに存在する。これは、上記図７に示すように、電話番号「08066668888」の周辺端末において安否レベル「３」に対応する項目６３が選択され、電話番号「08066993388」の周辺端末において安否レベル「２」に対応する項目６２が選択されたからである。
【００６１】
また、図９に示す「災害発生時刻」は、端末１０の緊急信号受信部１０４及び安否情報サーバ３０の通信部３０１が緊急信号を受信した時刻である。
【００６２】
安否レベル決定部３０３は、安否情報の「更新日時」及び「位置情報」に基づいて安否レベルを決定する。
【００６３】
具体的には、安否レベル決定部３０３は、上記図６に示すようにして安否レベルを決定する。すなわち、安否レベル決定部３０３は、災害発生時刻から２４時間以内位置情報が変化しない端末の安否レベルを「１」と決定する。また、安否レベル決定部３０３は、災害発生時刻から７２時間以内に位置情報が変化した端末の安否レベルを「２」と決定する。また、安否レベル決定部３０３は、災害発生時刻から２４時間超４８時間以内位置情報が変化しない端末の安否レベルを「３」と決定する。また、安否レベル決定部３０３は、災害発生時刻から４８時間超７２時間以内位置情報が変化しない端末の安否レベルを「４」と決定する。また、安否レベル決定部３０３は、災害発生時刻から７２時間超位置情報が変化しない端末の安否レベルを「５」と決定する。このように、安否レベルは、災害発生時刻からの経過時間と、端末の移動の有無とに応じて、端末毎に決定される。よって上記図６の「安否状態」に示すように、安否レベルが高くなるほど端末の利用者はより危険な状態にあることになる。
【００６４】
例えば、図９において、電話番号「09011113333」の端末は、災害発生時刻から７２時間以内に位置情報が変化している。よって、安否レベル決定部３０３は、電話番号「09011113333」の端末の安否レベルを「２」と決定する。また、電話番号「08022224444」の端末は、災害発生時刻から４８時間超７２時間以内位置情報が変化していない。よって、安否レベル決定部３０３は、電話番号「08022224444」の端末の安否レベルを「４」と決定する。また、電話番号「08043345115」の端末は、災害発生時刻から７２時間超位置情報が変化していない。よって、安否レベル決定部３０３は、電話番号「08043345115」の端末の安否レベルを「５」と決定する。同様にして、安否レベル決定部３０３は、電話番号「09077779999」，「08022334455」，「09091916666」，「09012125555」の各端末の安否レベルを決定する。
【００６５】
一方、安否レベルの決定前に安否レベルがすでに存在する端末については、安否レベル決定部３０３は、更新日時及び位置情報によらずに、その存在する安否レベルをそのまま用いる。
【００６６】
例えば、災害発生時刻からの経過時間と、端末の移動の有無とに応じて安否レベルが決定されると、図９に示すように、電話番号「08066668888」の端末の安否レベルは「４」となり、電話番号「08066993388」の端末の安否レベルは「５」となる。しかし、上述したように、安否レベルの決定前に、電話番号「08066668888」，「08066993388」の各端末の安否レベル「３」，「２」はすでに存在する。よって、安否レベル決定部３０３は、電話番号「08066668888」の端末の安否レベルを「３」と決定し、電話番号「08066993388」の端末の安否レベルを「２」と決定する。
【００６７】
次いで、安否レベル決定部３０３は、各端末の利用者の「救助優先順位」を決定する。救助優先順位は、「安否レベル」と、「電池残量」とに基づいて決定される。
【００６８】
具体的には、安否レベル決定部３０３は、安否レベル「４」→「３」→「２」→「１」→「５」の順に救助優先順位を各端末に付与する。また、安否レベルが同一の複数の端末に対しては、安否レベル決定部３０３は、電池残量がより少ない端末の利用者の救助優先順位をより高くする。その結果、各端末の利用者の救助優先順位は例えば図９に示すようになる。すなわち、電話番号「08022334455」の端末の利用者の救助優先順位が最も高く、電話番号「08043345115」の端末の利用者の救助優先順位が最も低くなる。
【００６９】
安否レベル決定部３０３は、このようにして端末毎に決定した安否レベル及び救助優先順位を安否情報に付与して、安否情報記憶部３０６に記憶されている安否情報を更新する。
【００７０】
また、制御部３０２は、安否情報記憶部３０６を参照し、安否レベル決定部３０３により更新された安否情報に基づいて、表示部３０４での表示画面を生成する。表示部３０４は、制御部３０２により生成された表示画面を、制御部３０２の表示制御の下で表示する。図１０，１１は、一実施例の安否情報サーバの画面表示の一例を示す図である。
【００７１】
制御部３０２は、上記図９に示す安否情報に基づいて、例えば図１０に示すように、位置情報によって特定される地図上の位置に、電話番号と安否レベルとを対応付けて表示する表示画面を生成する。
【００７２】
また、制御部３０２は、上記図９に示す安否情報に基づいて、例えば図１１に示すように、電話番号毎に、時間の経過に伴って変化する複数の位置情報によって特定される地図上の複数の位置に安否レベルを連ねて表示する表示画面を生成する。
【００７３】
なお、上記説明では、端末の電話番号が、端末の固有の識別子として用いられる場合を例示した。しかし、端末の固有の識別子は、端末の電話番号に限定されない。端末の固有の識別子は、端末を一意に特定できるものであればよい。例えば、端末のE-mailアドレス等を、端末の固有の識別子として用いてもよい。
【００７４】
また、上記説明では、「救助優先順位」を決定する場合を例示した。しかし、安否レベル決定部３０３は、安否レベルの決定を行う一方で、救助優先順位の決定を行わなくてもよい。安否レベル決定部３０３により救助優先順位の決定が行われない場合には、安否情報サーバ３０の利用者は、安否レベルから救助優先順位を判断してもよい。また、安否レベル決定部３０３により救助優先順位の決定が行われない場合には、安否情報には「電池残量」が含まれなくてもよい。
【００７５】
また、安否情報サーバ３０の制御部３０２は、端末１０からの要求に応じて、生成した表示画面を通信部３０１を用いて端末１０へ送信してもよい。
【００７６】
以上のように本実施例によれば、安否情報サーバ３０において、通信部３０１は、第１の端末から、第１の端末に関する自端末安否情報及び第２の端末に関する周辺端末安否情報を受信する。安否レベル決定部３０３は、自端末安否情報及び周辺端末安否情報に基づいて、第１の端末及び第２の端末の各々の利用者の安否の状態を示す安否レベルを決定する。これにより、被災者各々の安否の状態の判断が可能となるため、被災者各々の状態を考慮した救助活動の支援を行うことができる。
【００７７】
また、各安否情報は、各端末に固有の識別子、各安否情報の更新日時、及び、各端末の位置情報を含む。安否レベル決定部３０３は、更新日時及び位置情報に基づいて安否レベルを決定する。これにより、安否レベルを正確に決定することができる。
【００７８】
また、各安否情報は、さらに、各端末の電池残量を含む。安否レベル決定部３０３は、安否レベル及び電池残量に基づいて、各端末の利用者の救助優先順位を決定する。これにより、より危険な状態にある被災者から優先して救助活動を行うことが可能となる。
【００７９】
また、表示部３０４は、位置情報によって特定される地図上の位置に、各端末の固有の識別子と安否レベルとを対応付けて表示する。これにより、多くの被災者が発生した場合でも、それらの被災者の正確な位置及び安否の状態を一見して把握可能になる。
【００８０】
また、表示部３０４は、各端末の固有の識別子毎に、時間の経過に伴って変化する複数の位置情報によって特定される地図上の複数の位置に安否レベルを連ねて表示する。これにより、各被災者毎に、時間の経過とともに変化する安否の状態を一見して把握可能になる。
【００８１】
また、以上のように本実施例によれば、端末１０において、周辺端末通信部１０２は、周辺端末から周辺端末安否情報を受信する。自端末情報記憶部１１３は、自端末安否情報を最新のものから時系列に複数個記憶する。周辺端末情報記憶部１１４は、周辺端末毎に最新の１つの周辺端末安否情報を記憶する。基地局通信部１０３は、記憶部１１２に記憶された安否情報を基地局へ送信する。これにより、基地局の通信エリア外に位置する周辺端末の安否情報を安否情報サーバ３０に収集可能となる。また、安否情報の記憶個数に制限を設けることにより、安否情報の記憶に必要な記憶容量を削減することができるとともに、短時間で基地局へ安否情報を送信することが可能になる。また、最新の安否情報を基地局へ送信することが可能になる。
【００８２】
また、情報更新部１０９は、自端末安否情報を所定の時間間隔で更新する。これにより、安否情報を常に最新に保つことができる。
【００８３】
［他の実施例］
＜端末のハードウェア構成＞
端末１０は次のようなハードウェア構成により実現することができる。図１２は、端末のハードウェア構成例を示す図である。
【００８４】
図１２に示すように、端末１０は、ハードウェアの構成要素として、アンテナ１０ａと、ＲＦ（Radio  Frequency）回路１０ｂと、ＤＳＰ（Digital  Signal  Processor）１０ｃと、スピーカ１０ｄと、マイク１０ｅと、タッチパネル１０ｆと、ＬＣＤ（Liquid  Crystal  Display）等のディスプレイ１０ｇと、ＣＰＵ（Central  Processing  Unit）１０ｈと、メモリ１０ｉと、カメラ１０ｊとを有する。メモリ１０ｉは、例えば、ＳＤＲＡＭ等のＲＡＭ、ＲＯＭ、フラッシュメモリにより構成される。
【００８５】
アンテナ１０１は、アンテナ１０ａに対応する。周辺端末通信部１０２、基地局通信部１０３、及び、緊急信号受信部１０４は、ＲＦ回路１０ｂにより実現される。モード設定部１０５、制御部１０６、情報更新部１０９、位置情報取得部１１０、及び、電池残量取得部１１１は、ＣＰＵ１０ｈ等の集積回路により実現される。表示部１０７は、ディスプレイ１０ｇにより実現される。操作部１０８は、タッチパネル１０ｆにより実現される。記憶部１１２は、メモリ１０ｉにより実現される。
【００８６】
＜安否情報サーバのハードウェア構成＞
安否情報サーバ３０は次のようなハードウェア構成により実現することができる。図１３は、安否情報サーバのハードウェア構成例を示す図である。
【００８７】
図１３に示すように、安否情報サーバ３０は、ハードウェアの構成要素として、通信インタフェース３０ａと、ＣＰＵ３０ｂと、キーボード３０ｃと、ディスプレイ３０ｄと、メモリ３０ｅとを有する。メモリ３０ｅは、例えば、ＳＤＲＡＭ等のＲＡＭ、ＲＯＭ、フラッシュメモリにより構成される。
【００８８】
通信部３０１は、通信インタフェース３０ａにより実現される。制御部３０２及び安否レベル決定部３０３は、ＣＰＵ３０ｂ等の集積回路により実現される。表示部３０４は、ディスプレイ３０ｄにより実現される。操作部３０５は、キーボード３０ｃにより実現される。安否情報記憶部３０６は、メモリ３０ｅにより実現される。
【００８９】
＜プログラム＞
上述した各種の処理は、予め用意されたプログラムをＣＰＵに実行させることによっても実現できる。すなわち、モード設定部１０５、制御部１０６と、情報更新部１０９と、位置情報取得部１１０と、電池残量取得部１１１とによって実行される各処理に対応するプログラムが予めメモリ１０ｉに記憶され、各プログラムがＣＰＵ１０ｈへ読み出されてプロセスとして機能してもよい。また、制御部３０２と、安否レベル決定部３０３とによって実行される各処理に対応するプログラムが予めメモリ３０ｅに記憶され、各プログラムがＣＰＵ３０ｂへ読み出されてプロセスとして機能してもよい。また、各プログラムは、必ずしも予めメモリに記憶される必要はない。すなわち、例えば、端末１０、安否情報サーバ３０またはコンピュータに接続可能なフレキシブルディスク（ＦＤ）、ＣＤ−ＲＯＭ、ＭＯディスク、ＤＶＤディスク、光磁気ディスク、ＩＣカード、メモリカード等の可搬の記録媒体に各プログラムが予め記録され、各プログラムが端末１０、安否情報サーバ３０またはコンピュータへ読み出されてプロセスとして機能してもよい。また例えば、インターネット、ＬＡＮ、ＷＡＮ等を介して無線または有線により端末１０、安否情報サーバ３０またはコンピュータに接続されるコンピュータまたはサーバ等に各プログラムが予め記憶され、各プログラムが端末１０、安否情報サーバ３０またはコンピュータへ読み出されてプロセスとして機能してもよい。
【００９０】
以上の各実施例を含む実施形態に関し、さらに以下の付記を開示する。
【００９１】
（付記１）第１の通信端末から、前記第１の通信端末に関する第１の安否情報及び第２の通信端末に関する第２の安否情報を受信する通信部と、
前記第１の安否情報及び前記第２の安否情報に基づいて、前記第１の通信端末及び前記第２の通信端末の各々の利用者の安否の状態を示す安否レベルを決定する決定部と、
を具備するサーバ。
【００９２】
（付記２）前記第１の安否情報及び前記第２の安否情報は、前記第１の通信端末及び前記第２の通信端末の各々に固有の識別子、前記第１の安否情報及び前記第２の安否情報の各々の更新日時、及び、前記第１の通信端末及び前記第２の通信端末の各々の位置情報を含み、
前記決定部は、前記更新日時及び前記位置情報に基づいて、前記安否レベルを決定する、
付記１に記載のサーバ。
【００９３】
（付記３）前記第１の安否情報及び前記第２の安否情報は、さらに、前記第１の通信端末及び前記第２の通信端末の各々の電池残量を含み、
前記決定部は、前記安否レベル及び前記電池残量に基づいて、前記第１の通信端末及び前記第２の通信端末の各々の利用者の救助優先順位を決定する、
付記２に記載のサーバ。
【００９４】
（付記４）前記位置情報によって特定される地図上の位置に、前記固有の識別子と前記安否レベルとを対応付けて表示する表示部、をさらに具備する、
付記２に記載のサーバ。
【００９５】
（付記５）前記固有の識別子毎に、時間の経過に伴って変化する複数の前記位置情報によって特定される地図上の複数の位置に前記安否レベルを連ねて表示する表示部、をさらに具備する、
付記２に記載のサーバ。
【００９６】
（付記６）他の通信端末から前記他の通信端末に関する第１の安否情報を受信する第１の通信部と、
自端末に関する第２の安否情報を最新のものから時系列に複数個記憶する一方で、前記他の通信端末毎に最新の１つの前記第１の安否情報を記憶する記憶部と、
記憶された安否情報を基地局へ送信する第２の通信部と、
を具備する通信端末。
【００９７】
（付記７）前記第２の安否情報を所定の時間間隔で更新する更新部、をさらに具備する、
付記６に記載の通信端末。
【００９８】
（付記８）第１の通信端末から、前記第１の通信端末に関する第１の安否情報及び第２の通信端末に関する第２の安否情報を受信し、
前記第１の安否情報及び前記第２の安否情報に基づいて、前記第１の通信端末及び前記第２の通信端末の各々の利用者の安否の状態を示す安否レベルを決定する、
安否情報処理方法。
【００９９】
（付記９）通信端末に関する安否情報に基づいて、前記通信端末の利用者の安否の状態を示す安否レベルを決定し、
決定した前記安否レベルを前記安否情報に付与する、
処理をコンピュータに実行させる安否情報処理プログラムを記憶する、前記コンピュータが読み取り可能な記録媒体。
【０１００】
（付記１０）通信端末に関する安否情報を記憶するメモリと、
前記安否情報に基づいて、前記通信端末の利用者の安否の状態を示す安否レベルを決定するプロセッサと、
を具備するサーバ。
【０１０１】
（付記１１）他の通信端末から受信された前記他の通信端末に関する第１の安否情報のうち、前記他の通信端末毎に最新の１つの前記第１の安否情報を記憶する一方で、自端末に関する第２の安否情報を最新のものから時系列に複数個記憶するメモリと、
前記メモリに記憶された前記第１の安否情報及び前記第２の安否情報を取得するプロセッサと、
を具備する通信端末。
【符号の説明】
【０１０２】
１０  端末
１０１  アンテナ
１０２  周辺端末通信部
１０３  基地局通信部
１０４  緊急信号受信部
１０５  モード設定部
１０６  制御部
１０７  表示部
１０８  操作部
１０９  情報更新部
１１０  位置情報取得部
１１１  電池残量取得部
１１２  記憶部
１１３  自端末情報記憶部
１１４  周辺端末情報記憶部
３０  安否情報サーバ
３０１  通信部
３０２  制御部
３０３  安否レベル決定部
３０４  表示部
３０５  操作部
３０６  安否情報記憶部
【図１】
2014021550.tif 000003
【図２】
2014021550.tif 000004
【図３】
2014021550.tif 000005
【図４】
2014021550.tif 000006
【図５】
2014021550.tif 000007
【図６】
2014021550.tif 000008
【図７】
2014021550.tif 000009
【図８】
2014021550.tif 000010
【図９】
2014021550.tif 000011
【図１０】
2014021550.tif 000012
【図１１】
2014021550.tif 000013
【図１２】
2014021550.tif 000014
【図１３】
2014021550.tif 000015